(57)【要約】【課題】非常用照明装置のバッテリ点検作業の自動化、省力化を図りメンテナンス性を向上する。【解決手段】電源回路１３、バッテリ９の充電回路１４、ランプ１０への電力供給を制御する制御回路１５を有するものにおいて、制御回路にバッテリの自動点検プログラムからなる点検シーケンス２０を組み込み、点検中において点検スイッチ８を再度押すことにより点検解除の操作を検出すると、点検シーケンス２０の動作を終了して電源回路１３を復帰させる。【選択図】図２
2008034401.tif 000002
【特許請求の範囲】
【請求項１】
商用電源の交流電圧を直流電圧に変換する電源回路と、
前記電源回路とバッテリに接続され、前記電源回路から直流電力が入力されるとき、この直流電圧を出力し、前記電源回路から直流電力が入力されないとき、前記バッテリの直流電圧を出力するとともに、前記バッテリから直流が前記電源回路に流れるのを防止するＯＲ回路と、
前記ＯＲ回路から直流の電力を供給してランプを点灯する点灯手段と、
前記電源回路に接続された前記バッテリを充電する充電手段と、
前記バッテリの状態の点検を開始するための点検スイッチと、
前記点検スイッチのＯＮ操作により前記バッテリの状態の自動点検を開始させる制御手段と、
前記点検スイッチが押された後、時間を計時するタイマ手段と、
前記バッテリの異常を表示する表示手段と、
を備え、
前記制御手段は、
前記タイマ手段が時間を計時している間は、前記商用電源を遮断することなく前記電源回路から前記点灯手段への直流の電力供給を停止させて、前記バッテリから前記点灯手段へ直流の電力を供給させ、前記タイマ手段が計時している時間が所定の点検時間を経過すると前記電源回路から前記点灯手段への直流の電力供給を開始する点検シーケンス手段と、
前記バッテリの前記電力供給時の電圧を検出する電圧検出手段と、
前記タイマ手段が計時している間に点検解除の操作を検出すると、前記点検シーケンス手段の動作を終了して前記電源回路の動作を開始させる判断手段と、
前記電圧検出手段の検出する電圧に基づいて前記バッテリの異常の有無を判断する異常判断手段と、
前記異常判断手段により前記バッテリの異常が判断されるとその判断結果を記憶する記憶手段と、
を備えるとともに、
前記タイマ手段が計時している時間に前記異常判断手段で前記バッテリに異常があると判断されたときには、前記点検シーケンス手段による点検シーケンスが終了し前記電源回路による常用点灯になったとき、前記バッテリの異常が解除されるまで前記記憶手段に記憶している判断結果に基づいて前記表示手段に前記バッテリの異常表示を継続させることを特徴とする非常用照明装置。
【請求項２】
前記点検解除の操作は、再び前記点検スイッチが押される操作であることを特徴とする請求項１記載の非常用照明装置。
【発明の詳細な説明】
【技術分野】
【０００１】
本発明は、誘導灯、非常灯などの非常用照明装置に関する。
【背景技術】
【０００２】
非常用照明装置は火災等による停電時に照明を確保する目的でランプを点灯（非常点灯）させるものであり、常備されているバッテリ電源の電力で点灯させる。このためバッテリの点検が消防庁告示及び建築基準法で義務づけられている。  
【０００３】
従来の誘導灯の場合を例にとり、以下に説明する。
図１６は従来の誘導灯の外観図であり、同図の（ａ）は正面図、（ｂ）は平面図、（ｃ）は側面図である。図において、１は本体、２は表示パネル、３は点検スイッチ用引き輪、４はＬＥＤ等からなるバッテリモニタ、５は電源コード通し穴、６、７は本体取り付け穴である。
図１７はこの誘導灯の内部構成を示す図で、８は点検スイッチ、９はバッテリ、１０はランプ、１１は端子台、１２は点灯装置である。
また、図１８は点灯装置１２の回路構成図で、１３は電源回路、１４は充電回路、１５は制御回路、１６はダイオードＯＲ回路、１７はＤＣ−ＤＣコンバータ回路、１８はインバータ回路である。
【０００４】
図１８を参照して説明すると、端子台１１には商用電源が接続され、商用電源は電源回路１３のＩＮ端子に入力する。電源回路１３は商用電源の交流電圧を低電圧の直流電圧に変換し、ＯＵＴ端子から出力する。トリクル充電回路等からなる充電回路１４は電源回路１３からの直流電圧によってバッテリ９をトリクル充電するための電流を流す。制御回路１５はバッテリモニタ４と点検スイッチ８が接続され、また制御回路１５からは電源回路１３の動作をＯＮ／ＯＦＦする制御信号とインバータ回路１８の動作をＯＮ／ＯＦＦする制御信号が出力される。バッテリモニタ４は例えば赤と緑の２色を発光するＬＥＤ（発光ダイオード）からなり、充電中は緑で発光、異常時には赤で発光する。ダイオードＯＲ回路１６は、常用点灯時には電源回路１３からの直流出力を、停電や点検などの非常点灯時にはバッテリ９からの直流電圧を、ＤＣ−ＤＣコンバータ回路１７に伝達する。ＤＣ−ＤＣコンバータ回路１７は伝達された直流電圧を安定にし出力する。インバータ回路１８はＤＣ−ＤＣコンバータ回路１７の直流電圧を入力し、高圧交流電圧に変換して出力する。インバータ回路１８の出力には冷陰極放電ランプ１０が接続され、インバータ回路１８から出力する高電圧で放電しランプ１０が点灯（常用点灯）する。
【０００５】
端子台１１に電源が途絶える、即ち停電になると、電源回路１３の出力電圧が０Ｖになり、ダイオードＯＲ回路１６はバッテリ９の電圧をＤＣ−ＤＣコンバータ回路１７に供給する。ＤＣ−ＤＣコンバータ回路１７はバッテリ９からの電圧を安定化昇圧してインバータ回路１８に入力する。したがって、停電中においてランプ１０が点灯するための電力はバッテリ９から賄われる。
【０００６】
バッテリ点検はバッテリ９が正常に動作するか否かを確認する作業で、点検者は引き輪３を引き、点検スイッチ８を動作させる。点検スイッチ８がＯＮになると、制御回路１５は電源回路１３のＯＮ／ＯＦＦ端子にＯＦＦ信号を送出して電源回路１３の動作を停止させる。電源回路１３の動作が停止すれば停電と同様の動作となり、バッテリ９からの電力でランプ１０が点灯する。このとき、制御回路１５はバッテリ９の電圧を監視し、もしバッテリ９の電圧が規定値以下に低下した場合はインバータ回路１８のＯＮ／ＯＦＦ端子にＯＦＦ信号を送出してインバータ回路１８を停止する。インバータ回路１８が停止すればランプ１０が消灯する。
【０００７】
バッテリ点検は規定では、誘導灯の場合は２０分間または６０分間、非常灯の場合は３０分間、ランプを有効に非常点灯させなければならないことになっている。このように長い時間点灯しなければならないので、点検者は引き輪３に重りをぶら下げて、規定の点検時間ランプ１０が有効に非常点灯するか否かをバッテリ電圧の測定などの手段により確認する。
バッテリが寿命末期であれば、この点検時間内でバッテリ電圧が急激に低下し、ランプが消灯するのでバッテリ交換の要否が確認できる。そして、規定の点検時間が終了すれば点検者は重りを引き輪３から外し、したがって点検スイッチ８がＯＦＦとなり、制御回路１５は電源回路１３のＯＮ／ＯＦＦ端子にＯＮ信号を送出して電源回路１３の動作停止を解除する。電源回路１３が復帰すれば通常状態に戻り、商用電源からの電力でランプ１０が点灯する。
【０００８】
また、バッテリ点検の終了直後に停電等が発生した場合の対策として、特開昭５８−１６４１９０号公報がある。この非常用照明装置は、バッテリの充電手段としてトリクル充電回路と急速充電回数の計測手段を持つ急速充電回路を備え、所定のバッテリ放電時間経過後のバッテリ端子電圧が設定値以下になったときにトリクル充電から急速充電に切り換えるようにしたものである。急速充電回数でバッテリの交換時期が分かる。しかし、バッテリ点検及び点検中に対するものではない。
【発明の開示】
【発明が解決しようとする課題】
【０００９】
前述したように、バッテリ点検作業は長い時間がかかり、かつ、重りの取り付け、取り外しのため、労力を要するものであった。
本発明の解決すべき課題の第一は、バッテリ点検作業の自動化、省力化を図り、メンテナンス性を向上させることである。
第二は、バッテリ点検中に点検を中止したい場合に備えて必要な対策を講じることである。
第三は、バッテリ点検中（放電中）または充電中にバッテリの寿命、異常等が判明したような場合、それを知らしめることである。
第四は、規定のバッテリ点検時間が経過しなくても十分に高い信頼性で点検結果を予測でき、もってバッテリ点検時間の短縮化を図ることである。
その他の課題は、以下に述べる実施例及び図面の説明から明らかにされる。
【課題を解決するための手段】
【００１０】
本発明に係る非常用照明装置は、商用電源の交流電圧を直流電圧に変換する電源回路と、前記電源回路とバッテリに接続され、前記電源回路から直流電力が入力されるとき、この直流電圧を出力し、前記電源回路から直流電力が入力されないとき、前記バッテリの直流電圧を出力するとともに、前記バッテリから直流が前記電源回路に流れるのを防止するＯＲ回路と、前記ＯＲ回路から直流の電力を供給してランプを点灯する点灯手段と、前記電源回路に接続された前記バッテリを充電する充電手段と、前記バッテリの状態の点検を開始するための点検スイッチと、前記点検スイッチのＯＮ操作により前記バッテリの状態の自動点検を開始させる制御手段と、前記点検スイッチが押された後、時間を計時するタイマ手段と、前記バッテリの異常を表示する表示手段と、を備え、
前記制御手段は、
前記タイマ手段が時間を計時している間は、前記商用電源を遮断することなく前記電源回路から前記点灯手段への直流の電力供給を停止させて、前記バッテリから前記点灯手段へ直流の電力を供給させ、前記タイマ手段が計時している時間が所定の点検時間を経過すると前記電源回路から前記点灯手段への直流の電力供給を開始する点検シーケンス手段と、
前記バッテリの前記電力供給時の電圧を検出する電圧検出手段と、
前記タイマ手段が計時している間に点検解除の操作を検出すると、前記点検シーケンス手段の動作を終了して前記電源回路の動作を開始させる判断手段と、
前記電圧検出手段の検出する電圧に基づいて前記バッテリの異常の有無を判断する異常判断手段と、
前記異常判断手段により前記バッテリの異常が判断されるとその判断結果を記憶する記憶手段と、を備えるとともに、
前記タイマ手段が計時している時間に前記異常判断手段で前記バッテリに異常があると判断されたときには、前記点検シーケンス手段による点検シーケンスが終了し前記電源回路による常用点灯になったとき、前記バッテリの異常が解除されるまで前記記憶手段に記憶している判断結果に基づいて前記表示手段に前記バッテリの異常表示を継続させることを特徴とする。
【００１１】
このように構成することにより、点検スイッチの短い時間のＯＮ操作で自動的に点検シーケンスが動作を開始するので、バッテリ点検の省力化ができ、メンテナンス性が向上する。また、バッテリ放電電圧を検出することにより、バッテリの異常の有無を判断できバッテリ寿命の予測がつくので、点検時間の短縮が可能になる。また、バッテリの異常を早期に知ることができ、バッテリ交換を促すことが可能となる。
【００１２】
本発明に係る非常用照明装置は、前記点検解除の操作が、再び前記点検スイッチが押される操作であることを特徴とする。
点検作業を中止したい場合は、再び点検スイッチを押すことで、規定の点検時間が終わるのを待たずに直ちに点検動作を中止でき、点検作業を省力化することができる。
【発明を実施するための最良の形態】
【００１３】
実施例１．
図１は本発明の実施例１に係る非常用照明装置の制御回路の動作を示すフローチャートである。
本実施例は、図１に示す自動点検プログラムを図１８に示す制御回路１５に組み込み、バッテリ点検作業の自動化、省力化を図るものである。図１の破線で囲まれた工程が点検シーケンス２０を示し、これを実行するためにタイマＴ１を用いている。タイマＴ１の設定時間ｔ１は数秒程度に設定されている。また、点検シーケンス２０に組み込まれた第２のタイマＴ２の設定時間ｔ２は法規定で定められた点検時間である。例えば、誘導灯の場合、ｔ２＝２０分または６０分、非常灯の場合、ｔ２＝３０分である。
【００１４】
本実施例の動作を図１に従って説明する。また図１６〜図１８を参照しながら説明する。
ステップＳ１において、点検スイッチ８がＯＦＦであれば、ステップＳ２のタイマＴ１＝０を実行してステップＳ１に戻る。したがって、ランプ１０は電源回路１３からの電力供給を受けて点灯している。バッテリ９の充電も行われている。次に、点検者がバッテリ点検を目的として、点検スイッチ８をＯＮにすると、ステップＳ３でタイマＴ１が動作を開始し、次のステップＳ４でタイマＴ１の経過時間と設定時間ｔ１との大小を比較する。設定時間ｔ１は数秒程度に設定されているので、このとき、いたずらや誤動作で点検スイッチ８を瞬間的にＯＮにしても、ステップＳ１からステップＳ２へ移行するだけで点検動作には移行しない。
次に、ステップＳ４において、タイマＴ１の経過時間がｔ１より大きいと判断した場合、すなわち点検者がバッテリ点検の目的で引き輪３を引っ張っていた場合は、ステップＳ５から点検シーケンス２０が開始する。まず、ステップＳ５で電源回路１３の動作を停止する信号を電源回路１３のＯＮ／ＯＦＦ端子に入力する。これにより電源回路１３の出力電圧が０Ｖになり、停電状態と同様になり、バッテリ９からの電力でランプ１０が点灯する。したがって、バッテリ９は放電状態になり、バッテリ９の電圧が徐々に低下する。次に、ステップＳ６において、バッテリ９の電圧を監視し、バッテリ９の電圧とバッテリ下限電圧Ｅとの大小を比較する。バッテリ９の電圧がＥより高い場合はステップＳ７に、低い場合はステップＳ８に移行する。ステップＳ８に移行した場合、すなわちバッテリ９の電圧が点検中に急激にＥ電圧まで低下した場合は、インバータ回路１８の動作を停止し、ランプ１０を消灯する。ステップＳ７に移行した場合はタイマＴ２を動作させ、ステップＳ９でタイマＴ２の経過時間と設定時間ｔ２の大小を比較する。設定時間ｔ２はバッテリ点検動作の規定時間に設定される。ステップＳ９でその点検時間が終了したと判断すると、ステップＳ１０に移行し、そうでない場合はステップＳ５に戻る。ステップＳ９において電源回路１３をＯＮにし、また点検中にインバータ回路１８をＯＦＦにした場合はインバータ回路１８をＯＮにする。そして、ステップＳ１に戻る。
【００１５】
このように本実施例は、点検スイッチ８を所定時間ｔ１以上、ＯＮにすることでバッテリ点検動作が自動的に開始し、その後所定時間ｔ２経過後にバッテリ点検動作が自動的に終了する。したがって、本実施例によれば、従来のように引き輪３に重りを取り付けたり取り外したりする作業をしないで済み、制御回路１５に組み込まれた自動点検プログラムに従ってバッテリ点検動作が自動的に実行されるので、バッテリ点検作業の自動化、省力化ができ、またいたずらや誤動作によるバッテリの放電を防止できる。
【００１６】
実施例２．
実施例１では点検スイッチ８を所定時間ｔ１以上、ＯＮにすることで点検シーケンス２０が自動的にスタートするので、本実施例は、バッテリ点検動作中に点検を中止したい場合に点検動作を直ちに解除するようにしたものである。すなわち、再度点検スイッチ８を所定時間ｔ３以上、ＯＮにすることにより点検動作を解除するものである。
【００１７】
図２は本実施例の動作を示すフローチャートである。
本実施例の動作を説明する。ステップＳ１１において、点検スイッチ８が所定時間ｔ１、ＯＮになっているかを判断する。これは図１に示すフローチャートのステップＳ１からステップＳ４に相当する。点検スイッチ８がＯＮでその状態が所定時間継続している場合はステップＳ１２に移行して点検シーケンスを実行する。これは図１の点検シーケンス２０に相当し、ステップＳ５からステップＳ１０の動作と同様である。
点検動作中は、ステップＳ１３において、点検スイッチ８の状態を監視し、ステップＳ１１と同様に点検スイッチ８が所定時間ｔ３以上、ＯＮであったならばステップＳ１４の点検動作終了を実行する。したがって、点検スイッチ８の２度目のＯＮで、その状態が所定時間ｔ３以上継続していれば点検動作が直ちに終了される。点検終了動作は図１のステップＳ１０に相当し、電源回路１３をＯＮにし、またインバータ回路１８が停止している場合はインバータ回路１８をＯＮにする。そしてステップＳ１１に戻る。
【００１８】
本実施例によれば、点検動作中に点検を中止したい場合、例えばバッテリの寿命でランプ消灯が直ぐに発覚した場合などにおいて、規定の点検時間が終わるのを待たずに直ちに点検動作を中止できるので、点検作業が省力化できる。
【００１９】
実施例３．
本実施例は、常用点灯中に寿命末期のバッテリであることが判明した場合に、それを表示してバッテリの交換を促すようにしたものである。すなわち、電源回路１３の出力電圧または充電回路１４のバッテリ充電電流を検出して、バッテリ充電時間を積算し、バッテリ交換時期を表示するものである。
【００２０】
図３は本実施例の点灯装置１２の内部構成を示す回路図、図４は図３の制御回路１５の動作を示すフローチャートである。
図３に示すように、充電回路１４の充電電圧または充電電流を制御回路１５に入力し監視する。
【００２１】
図４に従って本実施例の動作を説明する。
ステップＳ２１において、電源回路１３をＯＮにする。電源回路１３をＯＮにすることにより充電回路１４を介してバッテリ９を充電すると同時に、ダイオードＯＲ回路１６、ＤＣ−ＤＣコンバータ回路１７、インバータ回路１８を介してランプ１０が点灯される。ステップＳ２２では充電回路１４の出力電圧を監視して電源回路１３の出力が０ＶであればステップＳ２７でバッテリモニタ４の赤ＬＥＤを点灯させてステップＳ２２を繰り返す。逆に、充電回路１４の出力が正常の電圧を出力していれば、ステップＳ２３でバッテリモニタ４の緑ＬＥＤを点灯させる。これはバッテリ９が充電中であることを知らせるものであり、電源回路１３から電圧が出力されバッテリが接続されている場合は常に低い電流値で充電（トリクル充電）が行われる。そして、ステップＳ２４でタイマＴ３によりバッテリ９の充電時間を積算する。ステップＳ２５ではタイマＴ３の積算時間をあらかじめ設定された時間ｔ３と比較し、積算時間がｔ３より大きい場合はステップＳ２６に、小さい場合はステップＳ２２に移行する。ステップＳ２６に移行したときはバッテリモニタ４の赤ＬＥＤを点灯し、ステップＳ２２に戻る。
【００２２】
バッテリ充電中において、バッテリ９が寿命末期であれば、タイマＴ３の積算時間は設定時間ｔ３より長くかかるので、ランプモニタ４の赤点灯表示により、そのバッテリは交換時期にきていることが分かる。したがって、新しいバッテリに交換することにより、点検作業の信頼性が向上し、省力化につながる。
【００２３】
なお、本実施例では、タイマＴ３の積算時間を充電回路１４の出力電圧をモニタすることで行っているが、バッテリ９に流れる充電電流をモニタして充電電流が流れていれば、タイマ時間を積算しても同様の効果が得られる。また、電源回路１３の出力をモニタしても同様の効果が得られる。
【００２４】
実施例４．
本実施例はバッテリ放電電圧の下降率を測定して短時間で点検作業を終了するものである。
図５は図３の制御回路１５の動作を示すフローチャート、図６は点検時における点灯時間とバッテリ電圧の低下特性を示す図で、ａに示すグラフは正常なバッテリの場合、ｂに示すグラフは寿命末期のバッテリに対して点検動作を行った場合である。図中、Ｅs はバッテリの過放電防止のために設定された電圧値で、バッテリ電圧がこの値以下になった場合は放電を停止する。ｔx はバッテリ電圧の下降率の監視をしない期間で、バッテリが正常、異常にかかわらずバッテリの放電開始後所定の初期時間ｔx が経過するまではバッテリ電圧の下降率は監視しないことにしてある。
【００２５】
図５に従って本実施例の動作を説明する。
ステップＳ３１において、点検スイッチ８の状態を監視し、点検スイッチ８がＯＮであればステップＳ３２に、ＯＦＦであればステップＳ３３に移行する。ステップＳ３２では点検動作（図１の点検シーケンス２０）を行い、ステップＳ３４でバッテリ９の電圧下降率を検出する。電圧下降率は図６に示すようにΔＥ／ｔ0 で表わされ、単位時間ｔ0 における電圧低下値ΔＥでもって表わす。ステップＳ３５ではこの電圧下降率と所定値αとの大小比較を行い、電圧下降率がαより大きい場合はステップＳ３６を実行する。小さい場合はステップＳ３２に戻る。ステップＳ３６ではインバータ回路１８にＯＦＦ信号を送出してランプ１０を消灯する。したがって、従来回路ではバッテリ過放電防止電圧Ｅｓに達して初めてバッテリ９の異常を検出されるが（Ｂに示す点）、本実施例ではＡに示す点でランプ１０が消灯されるので、早めにバッテリ異常が確認できる。
【００２６】
このようにバッテリの故障、寿命等の異常が規定の点検時間中ランプの点灯を継続させずに早期に検出でき、短時間で点検が終了するので、点検時間の短縮が可能である。
【００２７】
実施例５．
本実施例は、一定電流でバッテリをトリクル充電し、所定時間経過してもバッテリ充電電圧または充電電流が所定値に達しない場合はバッテリ異常表示を行うものである。
図７は図３の制御回路１５の動作を示すフローチャート、図８は充電時間に対するバッテリ電圧特性を示す図である。図中、ｃは正常なバッテリの電圧特性を示し、ｄは寿命末期のバッテリの電圧特性を示す。ＥM は設定電圧、ｔs はタイマ時間をそれぞれ示す。
【００２８】
図７に従って本実施例の動作を説明する。
ステップＳ４１ではバッテリ９が充電されているかを確認する。これは充電回路１４の出力電圧または出力電流を検出する。充電回路１４は一定電流をバッテリ９に流すように構成される。ステップＳ４１で充電中でない場合はステップＳ４２に、充電中の場合はステップＳ４３に移行する。ステップＳ４２ではタイマ時間を０にする。このタイマＴ４は数１０時間を積算するものである。ステップＳ４３ではバッテリモニタ４に充電表示を行い、更にステップＳ４４で充電時間を積算する。ステップＳ４５では充電時間を積算したタイマＴ４の積算時間とあらかじめ設定された時間ｔs との比較を行い、タイマＴ４が設定時間になればステップＳ４６に、そうでない場合はステップＳ４１に戻る。ステップＳ４６ではバッテリ電圧を検出して、ステップＳ４７において検出したバッテリ電圧ＥB と設定電圧ＥM との比較を行い、ＥB ＞ＥM の場合はステップＳ４１に戻り、ＥB ＜ＥM であればステップＳ４８のバッテリ異常表示を実行する。例えば、バッテリ異常表示はバッテリモニタ４の赤ＬＥＤを点灯する。
図８を用いて更に動作を説明すれば、グラフｃは正常のバッテリを充電した場合で、充電時間ｔs 時点で設定電圧ＥM の電圧値を超えているが、寿命末期のバッテリの場合、グラフｄに示すように充電時間ｔs に達していてもバッテリ電圧が設定電圧ＥM より高くならない。この時点でバッテリ異常の表示を行い、バッテリ交換を促す。
【００２９】
本実施例によれば、点検動作をしなくてもバッテリの寿命時期を表示でき、すぐにバッテリ交換が行われるので、メンテナンスが容易となる。
【００３０】
実施例６．
本実施例は、非常点灯中または点検中、すなわちバッテリ放電中にバッテリ異常が判明した場合はその後のバッテリ充電中もバッテリ異常を記憶しておき、かつそれを表示し、更にバッテリの交換を検出し、記憶、表示を解除するものである。
図９は図３の制御回路の動作を示すフローチャートである。
【００３１】
図９に従って本実施例の動作を説明する。
ステップＳ５１において、バッテリ９の放電状態、すなわち電源回路１３の出力電圧を検出する。電源回路１３の出力電圧が０Ｖの場合はバッテリ９からの電力でランプ１０が点灯する。バッテリ９が放電中の場合はステップＳ５２、放電中でない、すなわち充電中の場合はステップＳ５６に移行する。ステップＳ５２ではバッテリ９が異常であるかを検出し、異常と判断すればステップＳ５４に移行し、正常であればステップＳ５１に戻る。バッテリ異常はバッテリ９の放電によって降下した電圧値があらかじめ設定された下限電圧値以下になった場合であり、そのときはステップＳ５４でバッテリが異常であることを「バッテリ異常フラグ＝１」として記憶する。更に、ステップＳ５５においてバッテリモニタ４を用い、バッテリ異常表示を行う。
【００３２】
商用電源が端子台１１に印加され、電源回路１３が動作し、ランプ１０が商用電源からの電力で点灯している場合、バッテリ９は電源回路１３から充電回路１４を介して充電される。この状態のとき、ステップＳ５３ではバッテリ異常時に記憶されたバッテリ異常フラグの状態を確認し、バッテリ異常フラグが「１」であればステップＳ５７に移行し、バッテリ異常フラグが「０」であればステップＳ５６のバッテリ充電表示を実行する。バッテリ充電表示はバッテリモニタ４を用いる。ステップＳ５３でバッテリ異常フラグが「１」であれば、すなわちバッテリ放電中にバッテリ異常が検出されたならば、ステップＳ５７でバッテリ９が交換されたかを確認する。バッテリ９の交換はバッテリ９の電圧を検出してバッテリ９の電圧が一旦０Ｖになったことを検出する。バッテリ９が交換されていない場合はステップＳ５５でバッテリ異常表示を継続する。バッテリ９の交換が確認されたならば、ステップＳ５８でバッテリ異常フラグを「０」にし、ステップＳ５６のバッテリ充電表示を実行する。
【００３３】
本実施例によれば、停電時（非常時）や点検中などの非常点灯時にバッテリの寿命等を検出した場合に、バッテリ異常を表示し、その後常用点灯になってもバッテリの異常を記憶・表示しているので、停電復帰後や点検終了後においてどの非常用照明装置のバッテリを交換すべきかを知ることができるため、一括してバッテリ交換を行うことができ、メンテナンス性が向上する。
【００３４】
実施例７．
本実施例は商用電源の短時間のＯＦＦにより所定時間の間点検動作を行うものである。
図１０は点灯装置１２の内部構成図で、停電検出回路１９が端子台１１に接続され、商用電源の有無を検出して制御回路１５に出力するようになっている。
図１１は図１０の制御回路１５の動作を示すフローチャートである。
【００３５】
図１１に従って本実施例の動作を説明する。
ステップＳ６１において、自動点検モードであるかを識別する。自動点検モードは商用電源のＯＮ／ＯＦＦにより遠隔操作で行い、このＯＦＦ操作によって点検動作を行うものである。自動点検モードでない場合はステップＳ６２において停電検出回路１９が停電であるか否かを判定する。停電であればステップＳ６３で停電時間を積算し、ステップＳ６４で非常点灯する。非常点灯はバッテリ９からの電力でランプ１０を点灯するもので、電源回路１３のＯＮ／ＯＦＦ入力にはＯＦＦ信号を送出する。電源回路１３は停電の場合ＯＮ／ＯＦＦ入力に無関係に出力は０Ｖであるが、その後に自動点検を行うこともあり、制御回路１５は電源回路１３にＯＦＦ信号を送る。停電でない場合はステップＳ６５において停電時間があらかじめ設定された範囲内、すなわちｔ１＞停電時間＞ｔ２であればステップＳ６６で自動点検モードに移行するため、自動点検フラグを「１」にしてステップＳ６４を実行する。点検時間が上記の範囲外であればステップＳ６７で常用点灯を行う。常用点灯は商用電源からの供給電力でランプ１０を点灯するもので、制御回路１５は電源回路１３のＯＮ／ＯＦＦ端子にＯＮ信号を送出する。電源回路１３の出力電圧はダイオードＯＲ回路１６、ＤＣ−ＤＣコンバータ回路１７、インバータ回路１８を経由してランプ１０に電力を供給する。
ステップＳ６１において、自動点検モードと判断されれば、すなわち停電時間が所定範囲であり自動点検フラグ＝１に設定されていれば、ステップＳ６８で点検時間を積算する。ステップＳ６９ではその点検時間があらかじめ設定された時間ｔ３と比較し、点検時間＝ｔ３であればステップＳ７０で自動点検フラグを「０」にして自動点検を終了するようステップＳ６１に戻る。点検時間がｔ３に達していない場合はステップＳ６４で非常点灯を継続する。
【００３６】
本実施例によれば、点検制御線を必要とせず、点検動作を外部電源スイッチをＯＮ／ＯＦＦすることで遠隔操作することができるので、安価でメンテナンスの容易な装置を提供できる。
【００３７】
本実施例では停電検出を商用電源の有無で行っているが、電源回路の出力電圧を検出してもよい。また、所定時間の停電１回で自動点検を行うが、複数回の停電操作を繰り返して、すなわち商用電源の供給、停止を繰り返して自動点検をするような構成でもよく、この場合は実際の停電との識別がより確実となり、停電が頻繁に発生するような環境に適する。
【００３８】
実施例８．
本実施例は、商用電源の供給、停止を繰り返して外部から自動点検を設定する場合において、停止時間、供給時間が所定のパターンに一致すれば自動点検を行うようにしたものである。
図１２は図１０の制御回路１５の動作を示すフローチャート、図１３は停電検出を示すタイミング図で、（ａ）は端子台１１に印加される商用電源で、斜線部が電源供給状態を示す。（ｂ）は停電検出回路１９の検出出力、（ｃ）はランプ１０の点灯モードで、常用点灯と非常点灯を示す。
【００３９】
図１２に従って本実施例の動作を説明する。
ステップＳ７１において、自動点検モードか否かを自動点検フラグで識別する。自動点検モードであればステップＳ７９を、自動点検モードでなければステップＳ７２を実行する。ステップＳ７２では停電検出回路１９の検出出力の状態を判断して停電か電源供給があるかを認識する。停電の場合はステップＳ７５に、電源供給がある場合はステップＳ７３に移行する。ステップＳ７３では電源が供給されている時間を計測する。通常は長時間供給されているため、計測時間は最大値（タイマの計測できる限度値）を示すが、しかし、停電後は停電が復帰してから再び停電するまでの時間が計測される。そして、ステップＳ７４で常用点灯になるよう電源回路１３などの制御を行う。一方、ステップＳ７１で停電状態を停電検出回路１９から入力された場合はステップＳ７５で停電時間を計測し、ステップＳ７６では非常点灯を行う。停電時間は商用電源が途絶えて再び供給されるまでの時間である。ステップＳ７７ではステップＳ７３及びステップＳ７５で計測した時間のパターンがあらかじめ設定されたパターンと一致するかを判定する。図１３の（ａ）に示すタイミング図が電源供給状態を示し、外部から自動点検を設定する場合は、例えば同図に示すように電源の供給と停止を規則正しく、すなわちｔ１時間の停電後にｔ２時間の電源供給、同様にｔ３時間停電、ｔ４時間電源供給、ｔ５時間停電となるよう電源の供給を断続する。（ｂ）は停電検出回路１９の検出出力で、（ａ）の電源供給状態に同期して停電状態を出力する。（ｃ）は同様に電源の供給状態に同期した点灯モードの変化を示すものである。ステップＳ７７でパターンが一致しない場合はステップＳ７１に戻り、一致した場合はステップＳ７８で自動点検フラグを「１」にしてステップＳ７１に戻る。ステップＳ７１で自動点検フラグが「１」であると判定されると、ステップＳ７９を実行する。ステップＳ７９では点検時間を積算し、ステップＳ８０で点検時間があらかじめ設定された時間ｔs と一致するかを判定し、一致すればステップＳ８２、ステップＳ８３を実行する。ステップＳ８１では非常点灯、すなわちバッテリ９からの電力でランプ１０を点灯し、ランプ１０が正常に点灯するか否かを点検者が確認する。
【００４０】
本実施例は実施例７と同様の効果を奏する。また、本実施例でも停電検出を電源回路の出力電圧で実施してもよい。
【００４１】
実施例９．
本実施例は、バッテリの充電電圧または充電電流を検出してバッテリ外れなどの取り付け不良を検出し、異常表示を行うものである。
図１４は図３の制御回路１５の動作を示すフローチャート、図１５はバッテリ９の電圧を検出する端子電圧を充電時間に対応して示す電圧特性図である。
【００４２】
図１４に従って本実施例の動作を説明する。
ステップＳ９１において、バッテリ９の電圧を検出するが、正確にはバッテリ９を接続する端子電圧を検出する。ステップＳ９２ではこの検出電圧ＥB と設定値Ｅs の大小比較を行い、ＥB ＜Ｅs の場合はステップＳ９３に、ＥB ＞Ｅs であればステップＳ９４に移行する。ステップＳ９３ではバッテリモニタ４にバッテリ充電表示、例えば緑ＬＥＤを点灯し、ステップＳ９４ではバッテリモニタ４にバッテリ異常表示、例えば赤ＬＥＤを点灯する。
【００４３】
図１５に示すように、何らかの要因でバッテリの充電が不可能になった場合、検出電圧が設定電圧Ｅs を超えた点Ａではバッテリ異常を表示する。また、充電電流を検出している場合には充電電流が０になったとき、バッテリ異常を表示する。
【００４４】
本実施例によれば、例えばバッテリ交換時にバッテリを接続するコネクタの接続が不十分であったり、接続忘れの場合など、すぐに異常が判明し、メンテナンス性が向上する。
【００４５】
以上説明したように、本発明の非常用照明装置は、点検スイッチを短い時間ＯＮにするだけで自動的に点検シーケンスが動作を開始するようになっているので、バッテリ点検の省力化ができ、メンテナンス性が向上する効果がある。
【００４６】
バッテリ点検中点検を中止したいときには、点検スイッチを再度所定時間以上ＯＮにすることによって、規定の点検時間が終わるのを待たずに点検シーケンスの動作を中止できるので、バッテリ点検中に寿命等が判明したような場合に好都合である。
【００４７】
バッテリ充電中の場合、バッテリ充電時間を計測することでバッテリの正常、異常が分かり、バッテリ異常を表示することで、点検作業をしなくても早期に交換できるので、安全でメンテナンスが容易となる。
【００４８】
また、バッテリ放電電圧または放電電流の下降率を検出することにより、バッテリ寿命の予測がつくので、点検時間の短縮が可能になる。
【００４９】
また、バッテリ充電電圧または充電電流を検出することにより、バッテリの交換時期を知ることができる。
【００５０】
バッテリ点検中に判明した異常を記憶し表示しておくことにより、停電復帰後または点検終了後にどの装置のバッテリが異常かを知ることができ、一括したバッテリ交換が可能になる。
【００５１】
また、外部電源スイッチのＯＮ／ＯＦＦ操作でも自動点検ができるので、点検制御線が不要になるため安価にできる。また、このとき停電時間または停電パターンを比較することにより通常の停電と識別することができ、点検作業の省力化が図れる。
【００５２】
バッテリ交換後の取り付け不良などが分かる。
【００５３】
なお、本発明に使用するランプは冷陰極放電ランプ、熱陰極放電ランプを問わない。
【図面の簡単な説明】
【００５４】
【図１】本発明の実施例１の動作を示すフローチャートである。
【図２】本発明の実施例２の動作を示すフローチャートである。
【図３】本発明の実施例３を示す回路構成図である。
【図４】実施例３の動作を示すフローチャートである。
【図５】本発明の実施例４の動作を示すフローチャートである。
【図６】点灯時間に対するバッテリ電圧の低下特性図である。
【図７】本発明の実施例５の動作を示すフローチャートである。
【図８】充電時間に対するバッテリ電圧の特性図である。
【図９】本発明の実施例６の動作を示すフローチャートである。
【図１０】本発明の実施例７を示す回路構成図である。
【図１１】実施例７の動作を示すフローチャートである。
【図１２】本発明の実施例８の動作を示すフローチャートである。
【図１３】停電検出を示すタイミング図である。
【図１４】本発明の実施例９の動作を示すフローチャートである。
【図１５】充電時間に対するバッテリ検出電圧の特性図である。
【図１６】従来の誘導灯の外観図である。
【図１７】図１６の誘導灯の内部構成図である。
【図１８】図１６の誘導灯の回路構成図である。
【符号の説明】
【００５５】
４  バッテリモニタ、８  点検スイッチ、１０  ランプ、１１  端子台、１２  点灯装置、１３  電源回路、１４  充電回路、１５  制御回路、１６  ダイオードＯＲ回路、１７  ＤＣ−ＤＣコンバータ回路、１８  インバータ回路、１９  停電検出回路、２０  点検シーケンス、Ｔ１、Ｔ２、Ｔ３、Ｔ４  タイマ。
【図１】
2008034401.tif 000003
【図２】
2008034401.tif 000004
【図３】
2008034401.tif 000005
【図４】
2008034401.tif 000006
【図５】
2008034401.tif 000007
【図６】
2008034401.tif 000008
【図７】
2008034401.tif 000009
【図８】
2008034401.tif 000010
【図９】
2008034401.tif 000011
【図１０】
2008034401.tif 000012
【図１１】
2008034401.tif 000013
【図１２】
2008034401.tif 000014
【図１３】
2008034401.tif 000015
【図１４】
2008034401.tif 000016
【図１５】
2008034401.tif 000017
【図１６】
2008034401.tif 000018
【図１７】
2008034401.tif 000019
【図１８】
2008034401.tif 000020